(57)【特許請求の範囲】
【請求項１】
前記日除け部材を直接又は操作紐を介して上下又は左右に移動させて巻き取る回動軸にジョイントを介して連結する操作棒を設け、この操作棒を複数に分割し、それぞれの分割部分を連結ピンによって連結してなり、この分割部分においてＬ字状に折り曲げ可能にし、この折り曲げ部分を外筒によって包囲してこの操作棒の折り曲げ部分において妄りに折り曲がらないようにし、前記Ｌ字状に折り曲げてこの操作棒の末端を回転させることにより操作棒全体が回転し、先端に連結した前記回動軸を回動して前記日除け部材または操作紐を巻き取り又は巻き戻して上下又は左右に移動させて前記日除け部材を開閉し、前記外筒が上下に摺動可能になっており、前記操作棒の末端に電動モータの回転軸が着脱自在に係着でき、係着した前記電動モータを駆動することにより前記操作棒を回転させることを特徴とする日除け装置の開閉操作機構。
【請求項２】
前記操作棒の末端と前記電動モータの回転軸との間にクラッチ機構の連結部材を介在し、この連結部材が弾性部材を内蔵した面歯車によって前記操作棒に噛合するようになっていることを特徴とする請求項１に記載の日除け装置の開閉操作機構。
【請求項３】
ショーウインド、飾り窓、窓枠などの上端縁に取り付けられ、上部に設けた回動軸を回転して日除け部材を上下又は左右に移動して日除け装置を開閉する開閉操作機構において、
前記日除け部材を直接または操作紐を介して上下又は左右に移動させて巻き取る回動軸にジョイントを介して連結する操作棒を設け、この操作棒に連結部材およびクラッチ機構を介して着脱自在に電動モータの回転軸が係着できるようになっていることを特徴とする日除け装置の開閉操作機構。
【発明の詳細な説明】
【０００１】
【発明の属する技術分野】
この発明は、出窓の外側に突き出すオーニングや窓枠に取り付ける日除けブラインド、日除けカーテン等のスクリーンを上下又は左右に移動させる日除け装置の開閉操作機構に関する。
【０００２】
【従来の技術】
一般的な出窓等の外窓に取り付けるオーニングやブラインドのスクリーン、軒下の天幕は窓枠の上端縁に設けた回動軸に取り付け、この回動軸に連結した操作杆や操作紐を操作して回動軸を回転してスクリーンや天幕を昇降または左右に移動させている。特に、ホテルやレストランなどは窓が大きく、複数のオーニング、ブラインドが並列して配置してあったり、ロビーなどでは日除け装置を配置した窓が多数設置されている。このような窓の個々のオーニング、ブラインドの各窓毎の日除け部材を手動で操作して開閉調節している。従って、オーニングやブラインドなどの操作に時間がかかり、開閉操作に手間がかかっていた。
【０００３】
従来、オーニングやブラインドのスラットを開閉するのに、回転軸に係着するクランク状の操作棒を回転するか、操作紐を昇降させていた。例えば、ブラインドやロールスクリーン等の日除け装置１４において、図４に示すように、日除け部材１２であるスラットやスクリーン等は、これらを巻き上げるための操作紐１３（昇降コード）や左右に引っ張る操作紐により駆動されており、これらの操作紐１３は、窓枠の上端に設けられた固定枠１０内に収容された図示しない回転軸により巻き取るように構成されている。この回転軸の端部には、ユニバーサルジョイント２が設けられ、このユニバーサルジョイント２より垂下された操作棒１を回転させることにより、回転軸が回転するようになっている。この操作棒１の下端側には、操作棒１を回転させるための握筒５が設けられており、図示しない操作者は握筒５を握りながら回すことにより、操作棒１を回転させていた。
【０００４】
【発明が解決しようとする課題】
しかしながら、窓に取り付けたオーニングの回転軸毎に、その都度クランク棒を係着し、クランク棒を回転させなければならなかったから、ホテルやレストラン等では多数のオーニングを操作するのに手間がかかっていた。また、上述した日除け装置における操作棒１は、一般的に細い直線の金属や合成樹脂材料で作られており、この細い操作棒１に取り付けられる握筒５も比較的細いものであった。そのため、この細い握筒５を握り、細い操作棒１を回すためにはかなり強い力を必要とし、特にブラインドのストラット等の日除け部材１２は重いため操作力も重く、子供や女子が操作するのは非常に困難であるという問題があった。
また、個々の窓枠等に固着した電動機構を遠隔操作により操作してスクリーン等を開閉するものもあるが、個々のブラインド等の日除け装置に電動駆動装置を搭載することは装置が高価なものになっていた。
【０００５】
この発明の課題は、オーニング、スクリーン等の日除け部材を簡易に開閉することができる日除け装置の開閉操作機構を提供することである。
また、この発明の課題は、１個の電動機により配列した複数オーニング等の日除け部材の個々を簡易に操作可能な廉価な日除け装置の開閉操作機構を提供することである。
【０００６】
【課題を解決するための手段】
以上の課題を達成するために、本発明に係る日除け装置の開閉操作機構は、ショーウインド、飾り窓、窓枠などの上端縁に取り付けられ、上部に設けた回動軸を回転して日除け部材を上下又は左右に移動して日除け装置を開閉する開閉操作機構において、前記日除け部材を直接又は操作紐を介して上下又は左右に移動させて巻き取る回動軸にジョイントを介して連結する操作棒を設け、この操作棒を複数に分割し、それぞれの分割部分を連結ピンによって連結してなり、この分割部分においてＬ字状に折り曲げ可能にし、クランク状に折り曲げてこの操作棒の末端を回転させることにより操作棒全体が回転し、先端に連結した前記回動軸を回動して前記日除け部材または操作紐を巻き取り又は巻き戻して上下又は左右に移動させて日除け部材を開閉する構成である。
【０００７】
前記本発明の課題は、前記操作棒の折り曲げ部分を外筒によって包囲し、この操作棒の折り曲げ部分において妄りに折り曲がらないようにし、前記外筒が上下に摺動可能になっている構成、または、前記操作棒の末端に電動モータの回転軸が着脱自在に係着できるようになっており、この操作棒の分割部分を前記外筒で被覆して直線状にし、係着した前記電動モータを駆動することにより前記操作棒を回転させる構成、及び前記操作棒の末端と前記電動モータの回転軸との間にクラッチ機構の連結部材を介在し、この連結部材が弾性部材を内蔵した面歯車によって前記操作棒に噛合するようになっている構成によって達成できる。
【０００８】
また、前記課題は、ショーウインド、飾り窓、窓枠などの上端縁に取り付けられ、上部に設けた回動軸を回転して日除け部材を上下又は左右に移動して日除け装置を開閉する開閉操作機構において、前記日除け部材を直接または操作紐を介して上下又は左右に移動させて巻き取る回動軸にジョイントを介して連結する操作棒を設け、この操作棒に連結部材を介して着脱自在に電動モータの回転軸が係着できる構成、または前記操作棒の末端と前記電動モータの回転軸との間にクラッチ機構の連結部材を介在し、この連結部材が弾性部材を内蔵した面歯車によって前記操作棒に噛合するようになっている構成によって前記課題は達成できる。
【０００９】
本発明の日除け装置の開閉操作機構は、日除け部材の上下又は左右に移動させる操作紐または日除け部材を直接巻き取る回動軸に連結した操作棒の折り曲げ部分をクランク状に折り曲げて操作することができるから操作棒の回動が楽な力で女性や子供でも容易に行なえ、操作紐の巻き取り又は巻き戻し作業が簡易である。
【００１０】
また、上下又は左右に移動する日除け部材を直接開閉する回動軸または回動軸を回転させる操作紐を巻き取るに際して操作棒の末端に着脱自在に装着可能の小型の電動モータによって簡易に操作することができるから多数の日除け装置を１個の電動モータで操作することができる。そのため個々のオーニングやブラインド等の日除け装置に駆動機構を搭載する必要がないから廉価に日除け装置を製造することができる。また、操作棒にこの電動モータが常時連結していないから操作棒の外観に優れる。
【００１１】
【発明の実施の形態】
以下、本発明にかかる日除け装置の開閉操作機構の実施形態について図面を参照して詳述する。
図１は本発明に係る開閉操作機構の実施の形態を示す操作説明図である。図２は図１の操作棒の折り曲げ機構を説明する拡大説明図である。図３は図１の開閉操作機構の通常状態を示す正面図である。図４は本発明の開閉操作機構を搭載した日除け装置の使用状態図である。図５は図４の開閉操作機構に電動モータを装着した状態の使用状態図である。図６は本発明の開閉操作機構をオーニングに使用する状態を示す説明図である。
【００１２】
図４に示すように窓枠の上端に取り付けた固定枠１０に日除け部材であるスラット１２を多数配置したブラインド１４が設置してある。このブラインド１４のスラット１２を上下に昇降させる操作紐１３を操作する図示していない回動軸が固定枠１０内に配置してある。
図１において、この回動軸にはジョイント２を介して操作棒１が連結してある。この操作棒１の上端における回動軸とのジョイント２は、回動軸の回転機構に直接、カギ形または勾玉状の引掛部を備えたものや、ユニバーサルジョイントによって連結してある。この操作棒１は長さを調節するために複数に分割されており、分割部分は連結具８によって連結してある。この操作棒１の下部に揺動可能に枢支して折曲部１ｃを連結し、この折曲部１ｃの連結部は長孔３ａがＬ字状に穿ってあり、操作棒１の連結ピン３が貫通するようになっている。この折曲部１ｃの他端は握筒６内に回動可能に遊嵌した連結杆１ｄに連結ピン４によって軸支してある。
【００１３】
この連結杆１ｄの下端面には噛合する噛合面１ｅ（面歯車）を具えている。この連結杆１ｄの噛合面１ｅに噛合する噛合面７ａを有するモータ取付部７の中心部に装着ボルト７ｂが設けてあり、連結杆１ｄに螺合するようになっている。この装着ボルト７ｂにはスプリング７ｃを介装し、このモータ取付部７が常時握筒６から離反する方向に付勢してある。このモータ取付部７の他端の溝内には電動モータ１１の回転軸１１ｄの突起が嵌合できるようになっている。この電動モータ１１は通常の細長い小型モータである。
【００１４】
操作棒１の折曲部１ｃの外側には外筒５が回転自在に被覆してあり、この外筒５の長さは折曲部１ｃの長さよりやや長めに設定し、連結杆１ｄに固定する連結具８の位置から操作棒１と折曲部１ｃとの連結部より上側に達する長さにしてある。そして、不使用時や電動モータ１１の使用時においては、操作棒１が直線状を保てるように、折曲部１ｃ部分を外筒５が覆い、折曲部１ｃが屈曲しないように構成されている。この外筒５に包囲されている範囲は折曲部１ｃが折り曲がることはない。この外筒５を上方にスライドして折曲部１ｃを露出したとき、折曲部１ｃは連結部より折り曲げることができる。
【００１５】
このように構成してある本発明の開閉操作機構の動作を説明する。
図４に示されるようにブラインド１４のスラット１２が下降して外部からの光を遮断している状態において、外筒５を上方に移動させ、連結具８の下端に突き当てて停止すると操作棒１の下端の連結部分が現われる。この連結部の連結ピン３を中心に折曲部１ｃを直角に折り曲げて長孔３ａのカギ部分に連結ピン３を移動させる。このとき折曲部１ｃの端面が外筒５の下端面に当接して折曲部１ｃが直角に保持され、折り曲げ状態が強固に維持される（図２参照）。
【００１６】
外筒５を左手で把握し、折曲部１ｃの下端に接続した連結杆１ｄの連結ピン４部分で折り曲げて握筒６を手指で把持して操作棒１の外筒５を中心に回転すると操作棒１が回転しジョイント２を介して回動軸を回動させることができる（図１参照）。回動軸の回転によって操作紐１３が巻き取られてスラット１２は上昇して開口する。同様にして握筒６を前回と逆に回転すればスラット１２は下降することになる。
【００１７】
操作棒１は、図１に示すように、ステンレスやアルミ等の金属から形成された操作棒で、前記ジョイント２に連結された上端部１ａと、上端部１ａと連結具８で接続された中間部１ｂと、この中間部１ｂと下端部１ｄに屈曲可能に連結された折曲部１ｃとから構成されている。この折曲部１ｃは、折り曲げられるように２箇所の連結ピン３，４で連結されている。
【００１８】
また、操作棒１を折り曲げる場合には、図１に示すように、連結ピン３が露出する位置まで外筒５を上方に上げる。次いで、２箇所の連結ピン３，４で折曲部１ｃを直角に折り曲げ、操作棒１をクランク状にするものである。連結ピン３と係合する折曲部１ｃの係合孔は、図３に示すように、長孔３ａに形成されており、この長孔３ａの端部の連結ピン３の固定位置があり、折曲部１ｃを折り曲げた時に固定するようになっている。
【００１９】
また、この日除け装置の開閉操作機構は、図４に示すように、不使用時において、壁面に沿ってジョイント２から垂下した状態に取り付けられているが、使用時においてはジョイント２を利用して、操作棒１を壁面から離し、操作し易くするものである。さらに、連結具８は上端部１ａと中間部１ｂを接続するとともに外筒５の上下動作範囲を規制するストッパの役目も果している。外筒５の下には、握筒６の上下方向の動きを規制する止め部９が取り付けてある。
【００２０】
また、モータ取付部７は、着脱式の電動モータ１１を装着するためのものであり、図３に示すように、操作棒１の下端部１ｄに取り付けられている。即ち、下端部１ｄの下端面に形成されたギザギザの噛合面１ｅと、モータ取付部７の上端面に形成されたギザギザの噛合面７ａとが噛み合うように装着ボルト７ｂにより固定される。また、この装着ボルト７ｂが回転振動により緩みが生じないようにスプリング７ｃが挿入され、クラッチ機構を構成している。そして、モータ取付部７の下端面には電動モータ１１の駆動シャフトと係合する係合部７ｄが形成されている。
【００２１】
上述のように構成された日除け装置の開閉操作機構は、手動による開閉操作と電動モータ１１を使用した開閉操作が可能となっており、この操作方法を説明する。
先ず、手動による開閉操作について図１乃至図２を参照して説明する。操作棒１を折り曲げる場合は、図１に示すように、外筒５を上方に上げる、そして、折曲部１ｃを連結ピン３，４より折り曲げ操作棒１をクランク状にする。そして、一方の手で外筒５を持ち、他方の手で握筒６を握り、ハンドルのように回すと操作棒１の中間部１ｂと上端部１ａが回転する。すると、上端部１ａと連結されているジョイント２が回転して、固定枠１０に収納された図示しない巻き取り装置を回転させ、図示しない日除け部材を巻き上げることができる。
【００２２】
このように、上述した日除け装置の開閉操作機構によれば手動による開閉操作において、回転軸となる操作棒１に対して、折曲部１ｃの長さだけ大きな半径で回すことになるので、握筒６を回すためのトルク力は小さくて済むようになる。従って、日除け装置の開閉操作が非常に簡単になり、非力な子供や女子でも日除け装置の開閉ができるものである。
【００２３】
一方、この日除け装置の開閉操作機構は、電動モータ１１による開閉操作もできるので、その方法を説明する。先ず、図１に示すように、電動モータ１１は、そのケース１１ａの内部にモータ１１ｂとバッテリ１１ｃが格納されている。モータ１１ｂには駆動シャフト１１ｄが突出しており、この駆動シャフト１１ｄの先端が前記モータ取付部７の係合部７ｄと係合するようにクラッチ機構になっている。また、ケース１１ａの内径は、モータ取付部７の外径と嵌合する寸法に形成されており、電動モータ１１をモータ取付部７に差し込めば、駆動シャフト１１ｄと係合部７ｄが自動的に係合するような位置関係となっている。
【００２４】
このように構成された日除け装置の開閉操作機構において、操作棒１を回転させる場合には、図３に示すように、操作棒１を直線状にしておき電動モータ１１をモータ取付部７に差し込んで押し込む。すると、駆動シャフト１１ｄと係合部７ｄが係合し、さらに、図３に示すように、モータ取付部７の噛合面７ａと操作棒１の噛合面が噛み合うようになる。そして、電動モータ１１の図示しないスイッチをオンすれば、モータ１１ｂが回転し、駆動シャフト１１ｄを伝わって回転が操作棒１に伝達される。このとき過大な荷重がかかるときはクラッチ機構により空転する。また、このとき握筒６や外筒５は回転しないので、握筒６か外筒５を把持して操作棒１を支えておけばよい。
【００２５】
上述したように、電動モータ１１を使用する場合にも、電動モータ１１をモータ取付部７に差し込むことにより簡単に使用でき、労力を使用することなしに操作棒１を操作できるものである。さらに、この電動モータ１１は、着脱式であるので、複数のブラインド１４やオーニングの操作棒１にモータ取付部７を取り付けておけば、１個の電動モータ１１で、各窓に取り付けた全てのブラインドやオーニングに使用できるので、高価な電動モータ１１をブラインドやオーニング毎に揃える必要がなく、大幅なコストの削減ができるものである。
【００２６】
【発明の効果】
以上説明したように、本発明における日除け装置の開閉操作機構は、上部がユニバーサルジョイントに回動可能に取り付けられ中間部が折れ曲がり可能な折曲部が設けられた操作棒と、前記操作棒に上下動可能に挿入され前記折曲部を覆う外筒と、前記操作棒の下部に回転可能に挿入された握筒と、前記操作棒の下端に取り付けられたモータ取付部と、を有する構成としたことにより、前記操作棒を手動で簡単に操作できることに加えて、前記操作棒を電動モータで操作できるという極めて優れた効果を奏するものである。
【００２７】
また、手動による開閉操作において、回転軸となる操作棒１に対して、折曲部１ｃの長さだけ大きな半径で回すことになるので、握筒６を回すためのトルク力は小さくて済むのようになり、日除け装置の開閉操作が非常に簡単になるという優れた効果を奏するものである。
【００２８】
また、電動モータ１１を使用する場合にも、電動モータ１１をモータ取付部７に差し込むことにより簡単に使用でき、労力を使用することなしに操作棒１を操作できるものである。さらに、この電動モータ１１は、着脱式であるので、電動モータ１１が１個あれば、複数のブラインドやオーニングに使用できるので、高価な電動モータ１１をブラインドやロールスクリーン毎に揃える必要がなく、大幅なコストの削減ができるという効果を奏する。
【図面の簡単な説明】
【図１】本発明の日除け装置の開閉操作機構の手動操作状態を示す説明図である。
【図２】図１の要部拡大説明図である。
【図３】図１の日除け装置の開閉操作機構の正面図である。
【図４】本発明の開閉機構操作を備えた日除け装置の斜視図である。
【図５】本発明の開閉操作機構に電動モータ取り付けた状態の日除け装置を示す斜視図である。
【図６】本発明の開閉操作機構をオーニングに使用する状態を示す説明図である。
【符号の説明】
１      操作棒
１ａ    上端部
１ｂ    中間部
１ｃ    折曲部
１ｄ    下端部
２      ユニバーサルジョイント
３      連結部
４      連結ピン
５      外筒
６      握筒
７      モータ取付部
８      連結具
９      止め部
１０      固定枠
１１      電動モータ
１２      スラット
１３      操作紐
１４      ブラインド
１５          スクリーン
【図１】
0003619789.tif 000002
【図２】
0003619789.tif 000003
【図３】
0003619789.tif 000004
【図４】
0003619789.tif 000005
【図５】
0003619789.tif 000006
【図６】
0003619789.tif 000007